(57)【要約】【課題】アルミ合金製の鉄道車両構体の平坦面と湾曲面をヘアライン加工する装置を提供する。【解決手段】アルミ合金製の車両構体１は、床構体２、側構体４、妻構体６、屋根構体８、により構成される。側構体４と屋根構体８の接合部は湾曲面１０で接続される。ヘアライン加工装置３０は、アーム３２により支持されるモータ３４に駆動される回転ブラシが交換自在に装着される。側構体４の平坦面は、円柱形の回転ブラシ４０でヘアライン加工され、湾曲面１０は外周面が凹形状の回転ブラシ１００でヘアライン加工される。【選択図】        図１
2004261900.tif 000002
【特許請求の範囲】
【請求項１】
車両構体の外表面にヘアライン加工を施す方法であって、
車両構体の平坦平面を円柱形状の回転ブラシでヘアライン加工する工程と、構体の湾曲表面を凹形状の湾曲外周面を有する回転ブラシでヘアライン加工する工程を備え、
構体の湾曲表面の小径の円弧部は、小径の表面に実質的に同一の湾曲外周面を有する回転ブラシでヘアライン加工を施すヘアライン加工方法。
【請求項２】
車両構体の外表面にヘアライン加工を施す装置であって、モータとモータの駆動機構に対して、交換自在に装着させる回転ブラシと、回転ブラシを構体に沿って水平方向に案内する手段を備え、モータにより駆動される回転ブラシは、構体の平坦表面をヘアライン加工する円柱形状の回転ブラシと、構体の湾曲表面をヘアライン加工する凹形状の湾曲外周面を有する回転ブラシが選択的に装着されるヘアライン加工装置。
【請求項３】
凹形状の湾曲外周面を有する回転ブラシは、湾曲外周面を有する芯金と、芯金の外周面に植設されるほぼ長さが均一なワイヤ又は紙やすり片を備える請求項２記載のヘアライン加工装置。
【請求項４】
回転ワイヤブラシの湾曲外周面は、１つ又は２つ以上の半径を有する円弧面で形成される請求項３記載のヘアライン加工装置。
【発明の詳細な説明】
【０００１】
【発明の属する技術分野】
本発明は、アルミ合金製の車両構体の外表面にヘアライン加工を施す方法および装置に関するものである。
【０００２】
【従来の技術】
アルミ合金製の形材でつくられる鉄道車両構体は、外観が良いので無塗装で使用することができる。
外板の表面に仕上げ加工を施す回転式の研磨ロールは、下記の特許文献に開示されている。
【０００３】
【特許文献１】
特開平１１−３４７９５４号公報
【０００４】
【発明が解決しようとする課題】
車両構体は、平坦面にかえて湾曲面を有する部分がある。
平坦面（大きな径の湾曲面を含む）をヘアライン加工する回転ブラシは、円柱形状を有し、モータにより駆動されて、構体に対して当接されつつ水平方向に移動してヘアライン加工を施す。
【０００５】
側構体と屋根構体との接続部は比較的小径の湾曲面となっている。この湾曲面に対しても、平坦面加工用の円柱状を有する回転ブラシを用いて、回転軸の角度を変えつつヘアライン加工を施している。
本発明は、この湾曲面に対しても効率的にヘアライン加工を施すことができる方法及び装置を提供する。
【０００６】
【課題を解決するための手段】
本発明のヘアライン加工方法は、車両構体の平坦平面を円柱形状の回転ブラシでヘアライン加工する工程と、構体の湾曲表面を凹形状の湾曲外周面を有する回転ブラシでヘアライン加工する工程を備え、構体の湾曲表面の小径の円弧部は、小径の表面に実質的に同一の湾曲外周面を有する回転ブラシでヘアライン加工を施すものである。
【０００７】
また、ヘアライン加工装置は、車両構体の外表面にヘアライン加工を施す装置であって、モータとモータの駆動機構に対して、交換自在に装着させる回転ブラシと、回転ブラシを構体に沿って水平方向に案内する手段を備え、モータにより駆動させる回転ブラシは、構体の平坦表面をヘアライン加工する円柱形状の回転ブラシと、構体の湾曲表面をヘアライン加工する凹形状の湾曲外周面を有する回転ブラシが選択的に装着されるものである。
【０００８】
また、湾曲外周面を有する回転ブラシは、湾曲外周面を有する芯金と、芯金の外周面に植設されるほぼ長さが均一なワイヤ又は紙やすり片を備え、回転ブラシの湾曲外周面は、１つ又は２つ以上の半径を有する円弧面で形成されるものである。
【０００９】
【発明の実施の形態】
図１は本発明のヘアライン加工装置を示す説明図である。
全体を符号１で示す車両構体１は、床構体２、側構体４、屋根構体、妻構体６等で構成される。
車両構体がアルミ合金等でつくられている場合には、無塗装で使用することができる。構体の表面は、ヘアライン加工と称する回転ブラシを用いた仕上げ加工を施す。
【００１０】
ヘアライン加工が施されたアルミ合金製の車両は、きわめて美観の高い外観を有する。
ヘアライン加工装置３０は、アーム３２に取付けられたモータ３４とモータ３４により駆動される回転ブラシ４０を有する。回転ブラシ４０は、カバー３６で覆われ、アルミ粉等の飛散が防止される。
【００１１】
図５は側構体４の外面等の平坦面（大きな湾曲面を含む）にヘアライン加工を施すための円筒形状の回転ブラシを示す。
この回転ブラシ４０は、芯金４２の周囲に多数のワイヤまたは紙やすり片（布やすりを含む）を放射方向へ植設、固定した構造を有する。
ワイヤは例えばステンレス等でつくられ、その先端部でアルミ合金の外表面をわずかに削って、ヘアライン加工面とする。回転ブラシ４０は、車両の長さ方向に沿って移動させる。
車両は側構体４と屋根構体との間は図１の円Ａで示す、湾曲面１０で連結される。
【００１２】
図５に示す円柱形状の回転ブラシ４０でこの湾曲面１０に対してヘアライン加工を施す場合には、図６に示すように、回転ブラシ４０に取替え、回転ブラシ４０の姿勢を変化させて、水平方向（車両１の長手方向）に移動させ、湾曲面１０に沿ってパスを形成する。
【００１３】
しかしながら、この円柱形状の回転ブラシで湾曲面にヘアライン加工を施すには、次のような問題がある。
（１）曲面を円柱形状の回転ブラシで加工するには、何回かに分割して加工せねばならず、効率が悪い。
（２）分割加工の境界に色調差が発生し、見栄えが悪い。
（３）回転ブラシは面に対するなじみが悪いため、中央部が強く当りかかりすぎが生じ、両端部はかかりが浅くなり仕上がり面にムラができる。
（４）回転ブラシの当り方が均一でないため、回転ブラシが偏磨耗する。
そこで、本発明のヘアライン加工装置は、湾曲面１０に対応した形状を有する専用の回転ブラシを備えるものである。
【００１４】
図２は、湾曲面のヘアライン加工用の回転ブラシの断面図、図３は側面図である。
全体を符号１００で示す回転ブラシは、芯金１１０を有し、芯金１１０にはモータの出力軸にとりつけられる中空穴１１２を有する。芯金１１０の端面のフランジには、適宜のボルト穴１１４等が設けられる。
【００１５】
芯金１１０の外周部１１６は、芯金の軸線を含む平面上で半径Ｒ２の円弧面に形成される。
芯金１１０の外周面１１４上には、多数のワイヤが植設されていて、ワイヤブラシ１２０が形成される。ワイヤブラシ１２０の外周部１２２は、芯金の軸線を含む平面上で半径Ｒ１の円弧面に形成される。半径Ｒ１は湾曲面１０の半径と実質的に同一である。なお、ワイヤに変えて、紙やすり片（布やすり片を含む）でもよく、外周面は半径Ｒ１である。以下ワイヤブラシとして説明する。
【００１６】
２つの半径Ｒ１、Ｒ２の寸法を近似させることによって、ワイヤブラシ１２０を形成する各ワイヤの長さ寸法は、ほぼ均一にすることができる。この構成により、ヘアライン加工を施す湾曲面への当り具合が均一となり、仕上がりムラの発生を防止させることができる。
【００１７】
回転ブラシの円弧面（Ｒ１）は、単一の半径寸法だけではなく、加工対象の湾曲面１０に対応して、複数の半径寸法を有する円弧面とすることができる。
この回転ブラシを使用することによって、図４に示すように湾曲面１０をヘアライン加工により良好な外観に仕上げることができる。
【００１８】
本発明は以上のようにアルミ合金製の鉄道車両にヘアライン加工を施して仕上げ加工を自動的に行う装置にあって、湾曲面に対しても、外観のよいヘアライン加工を施すことができ、付加価値の高い車両を得ることができる。
【図面の簡単な説明】
【図１】本発明のヘアライン加工装置の説明図。
【図２】湾曲面のヘアライン加工用回転ブラシの断面図。
【図３】湾曲面のヘアライン加工用回転ブラシの側面図。
【図４】湾曲面のヘアライン加工部を示す図。
【図５】円柱形の回転ブラシの斜視図。
【図６】湾曲面の加工の説明図。
【符号の説明】
１  車両構体
２  床構体
４  側構体
６  妻構体
８  屋根構体
１０  湾曲面
３０  ヘアライン加工装置
４０  平坦面加工用回転ブラシ
１００  湾曲面加工用回転ブラシ
【図１】
2004261900.tif 000003
【図２】
2004261900.tif 000004
【図３】
2004261900.tif 000005
【図４】
2004261900.tif 000006
【図５】
2004261900.tif 000007
【図６】
2004261900.tif 000008